(57)【特許請求の範囲】
【請求項１】
被検体から収集した信号に基づく画像データの再構成処理に要する再構成時間を、撮影条件及び再構成条件の組み合わせに基づいて算出する算出部と、
前記算出部が算出した前記再構成時間に関する情報を、前記撮影条件及び前記再構成条件の複数の組み合わせに対応付けて表示部に表示させる表示制御部と、
を備えた医用画像診断装置。
【請求項２】
前記算出部は、前記被検体の部位ごとに、前記撮影条件及び前記再構成条件の組み合わせごとの前記再構成時間をそれぞれ算出し、
前記表示制御部は、前記算出部が前記被検体の部位ごとに算出した前記再構成時間に関する情報を、前記表示部にそれぞれ表示させる、請求項１に記載の医用画像診断装置。
【請求項３】
前記算出部は、前記被検体の部位ごとに、前記撮影条件及び前記再構成条件の組み合わせごとの前記再構成時間をそれぞれ算出し、
前記表示制御部は、位置決め画像上で指定された前記被検体の部位について、前記算出部が前記被検体の部位ごとに算出した前記再構成時間に関する情報を、前記表示部に表示させる、請求項１に記載の医用画像診断装置。
【請求項４】
前記算出部は、更に、前記撮影条件及び前記再構成条件の組み合わせに基づいて、外部の装置への前記画像データの通信時間を算出し、
前記表示制御部は、前記算出部が算出した前記通信時間に関する情報を、前記撮影条件及び前記再構成条件の組み合わせに対応付けて前記表示部に表示させる、請求項１乃至３のいずれか一項に記載の医用画像診断装置。
【請求項５】
前記表示部に表示された前記再構成時間に基づいた、前記再構成時間を決定する決定操作を受け付ける受付部を更に備え、
前記表示制御部は、前記決定操作により決定された前記再構成時間に関する情報を前記表示部に表示させる、請求項１乃至４のいずれか一項に記載の医用画像診断装置。
【請求項６】
前記受付部は、前記決定操作として、前記表示部に表示された前記再構成時間に関する情報に基づき、前記画像データの再構成に用いる前記再構成時間を選択する操作を受け付け、
前記表示制御部は、選択された前記再構成時間に関する情報を前記表示部に表示させる、請求項５に記載の医用画像診断装置。
【請求項７】
前記受付部は、前記決定操作として、前記表示部に表示された前記再構成時間に関する情報に基づいて選択された再構成時間に関与する前記撮影条件及び前記再構成条件の少なくとも一方を変更する操作を受け付け、
前記算出部は、少なくとも一方が変更された後の前記撮影条件及び前記再構成条件の組み合わせごとの前記再構成時間を算出し、
前記表示制御部は、少なくとも一方が変更された後の前記撮影条件及び前記再構成条件の組み合わせごとに算出された前記再構成時間に関する情報を前記表示部に表示させる、請求項５に記載の医用画像診断装置。
【請求項８】
前記受付部は、更に、所定の時間条件の入力操作を受け付け、
前記表示制御部は、前記所定の時間条件を満たす前記再構成時間に関する情報を前記表示部に表示させる、請求項５乃至７のいずれか一項に記載の医用画像診断装置。
【請求項９】
前記受付部は、更に、前記撮影条件及び前記再構成条件の少なくとも一方に関する設定の入力操作を受け付け、
前記表示制御部は、前記設定を満たす前記撮影条件及び前記再構成条件ごとの前記再構成時間に関する情報を前記表示部に表示させる、請求項５乃至７のいずれか一項に記載の医用画像診断装置。
【請求項１０】
前記受付部は、前記画像データの解像度に関与する前記設定の入力操作を受け付ける、請求項９に記載の医用画像診断装置。
【請求項１１】
前記解像度は、前記画像データにおける前記被検体の体軸方向の解像度である、請求項１０に記載の医用画像診断装置。
【請求項１２】
前記算出部は、同一の信号に対する複数回の再構成処理ごとに、前記撮影条件及び前記再構成条件の組み合わせごとの前記再構成時間をそれぞれ算出し、
前記表示制御部は、前記算出部が前記複数回の再構成処理ごとに算出した前記再構成時間に関する情報を、前記表示部にそれぞれ表示させる、請求項１乃至１１のいずれか一項に記載の医用画像診断装置。
【請求項１３】
前記表示制御部は、前記再構成時間に基づき、前記再構成処理が完了する時刻、又は前記再構成処理の実行期間に相当する時間情報を示す図を前記表示部に表示させる、請求項１乃至１２のいずれか一項に記載の医用画像診断装置。
【請求項１４】
前記算出部は、更に、前記撮影条件に基づいて、撮影に要する撮影時間を算出し、
前記表示制御部は、前記撮影時間及び前記再構成時間、前記撮影及び前記再構成処理が完了する時刻、又は前記撮影及び前記再構成処理の実行期間に相当する時間情報を示す図のうち少なくとも一つを前記表示部に表示させる、請求項１３に記載の医用画像診断装置。
【請求項１５】
前記算出部は、更に、前記撮影条件及び前記再構成条件の組み合わせに基づいて、外部の装置への前記画像データの通信に要する通信時間を算出し、
前記表示制御部は、前記撮影時間、前記再構成時間及び前記通信時間、又は前記撮影、前記再構成処理及び前記通信が完了する時刻、又は前記撮影、前記再構成処理及び前記通信の実行期間に相当する時間情報を示す図のうち少なくとも一つを前記表示部に表示させる、請求項１４に記載の医用画像診断装置。
【発明の詳細な説明】
【技術分野】
【０００１】
本発明の実施形態は、医用画像診断装置に関する。
【背景技術】
【０００２】
Ｘ線ＣＴ（Computed  Tomography）装置やＭＲＩ（Magnetic  Resonance  Imaging）装置、ＰＥＴ（Positron  Emission  computed  Tomography）装置、ＳＰＥＣＴ（Single  Photon  Emission  Computed  Tomography）装置といった医用画像診断装置は、被検体を撮影して収集したデータに基づき、画像データを再構成する。例えば、Ｘ線ＣＴ装置は、様々なスキャンパラメータ及び再構成パラメータにおいて撮影と画像再構成を行う。また、操作者は、診断の目的に応じて、マトリクスサイズやスライス厚、フィルタ等のパラメータを変更することができる。ここで、画像再構成に要する再構成時間はパラメータにより変動する。また、近年、マトリクスサイズの増加や、逐次近似再構成（ＩＲ：Iterative  Reconstruction）等の新しい再構成方法及び複雑なフィルタリングの出現により、パラメータの選択による再構成時間の変動が大きくなっている。しかし、従来の医用画像診断装置においては再構成時間が表示されないため、操作者はパラメータの選択により変動する再構成時間を把握することができず、パラメータの選択によって操作者の予想以上に再構成時間が長くなり、再構成処理完了後の診断に影響してしまう場合があった。なお、以下の説明においては、スキャンパラメータを撮影条件とも記載する。また再構成パラメータを再構成条件とも記載する。
【先行技術文献】
【特許文献】
【０００３】
【特許文献１】特許第５０４９２８３号公報
【発明の概要】
【発明が解決しようとする課題】
【０００４】
本発明が解決しようとする課題は、検査の効率を向上させることができる医用画像診断装置を提供することである。
【課題を解決するための手段】
【０００５】
実施形態の医用画像診断装置は、算出部と、表示制御部とを備える。算出部は、被検体から収集した信号に基づく画像データの再構成処理に要する再構成時間を、撮影条件及び再構成条件に基づいて算出する。表示制御部は、前記算出部が算出した前記再構成時間に関する情報を表示部に表示させる。
【図面の簡単な説明】
【０００６】
【図１】図１は、第１の実施形態に係るＸ線ＣＴ装置の構成の一例を示すブロック図である。
【図２】図２は、第１の実施形態に係る再構成時間の表示例を示す図である。
【図３Ａ】図３Ａは、第１の実施形態に係る再構成時間の表示例を示す図である。
【図３Ｂ】図３Ｂは、第１の実施形態に係る再構成時間の表示例を示す図である。
【図４】図４は、第１の実施形態に係る再構成時間の表示例を示す図である。
【図５】図５は、第１の実施形態に係る再構成時間の表示例を示す図である。
【図６Ａ】図６Ａは、第１の実施形態に係る再構成時間の表示例を示す図である。
【図６Ｂ】図６Ｂは、第１の実施形態に係る再構成時間の表示例を示す図である。
【図６Ｃ】図６Ｃは、第１の実施形態に係る再構成時間の表示例を示す図である。
【図７】図７は、第１の実施形態に係るＸ線ＣＴ装置の処理の一連の流れを説明するためのフローチャートである。
【図８】図８は、第１の実施形態に係る再構成時間の調整の一連の流れを説明するためのフローチャートである。
【図９】図９は、第２の実施形態に係る部位ごとの撮影計画を説明するための図である。
【図１０Ａ】図１０Ａは、第２の実施形態に係る部位の設定を説明するための図である。
【図１０Ｂ】図１０Ｂは、第２の実施形態に係る部位の設定を説明するための図である。
【図１１】図１１は、第２の実施形態に係る部位ごとの再構成時間の表示例を示す図である。
【図１２】図１２は、第２の実施形態に係る部位ごとの再構成時間の表示例を示す図である。
【図１３】図１３は、第２の実施形態に係る部位ごとの撮影を説明するための図である。
【図１４】図１４は、第２の実施形態に係る再構成時間の調整の一連の流れを説明するためのフローチャートである。
【図１５Ａ】図１５Ａは、第３の実施形態に係る画像データの解像度を説明するための図である。
【図１５Ｂ】図１５Ｂは、第３の実施形態に係る画像データの解像度を説明するための図である。
【図１５Ｃ】図１５Ｃは、第３の実施形態に係る画像データの解像度を説明するための図である。
【図１６】図１６は、第３の実施形態に係る再構成時間の表示例を示す図である。
【図１７】図１７は、第３の実施形態に係る再構成時間の調整の一連の流れを説明するためのフローチャートである。
【図１８】図１８は、第４の実施形態に係る通信時間の表示例を示す図である。
【発明を実施するための形態】
【０００７】
以下、図面を参照して、実施形態に係る医用画像診断装置を説明する。なお、以下では、医用画像診断装置の一例として、Ｘ線ＣＴ装置について説明する。
【０００８】
（第１の実施形態）
まず、図１を用いて第１の実施形態に係るＸ線ＣＴ装置１の構成の一例を説明する。図１は、第１の実施形態に係るＸ線ＣＴ装置１の構成の一例を示すブロック図である。図１に示すように、第１の実施形態に係るＸ線ＣＴ装置１は、高電圧発生器１０１と、Ｘ線源１０２と、回転フレーム１０３と、天板１０４と、Ｘ線検出器１０５と、ディスプレイ１０６と、入力回路１０７と、記憶回路１０８と、処理回路１０９とを備える。
【０００９】
高電圧発生器１０１は、処理回路１０９による制御の下、高電圧を発生し、発生した高電圧をＸ線源１０２に供給する。Ｘ線源１０２は、高電圧発生器１０１から供給された高電圧を用いてＸ線を発生するＸ線管と、被検体Ｐに対する被曝量の低減と画像の画質向上を目的としてＸ線の照射野を制御するＸ線絞り器とを備える。回転フレーム１０３は、Ｘ線源１０２とＸ線検出器１０５とを、被検体Ｐを挟んで対向するように保持し、被検体Ｐを中心とした円軌道にて回転する円環状のフレームである。天板１０４は、被検体Ｐを載せるベッドであり、図示しない寝台の上に配置される。
【００１０】
Ｘ線検出器１０５は、Ｘ線検出素子を複数有し、被検体Ｐを透過したＸ線について信号の強度分布データを検出し、検出した強度分布データを処理回路１０９に送信する。ディスプレイ１０６は、操作者によって参照されるモニタであり、処理回路１０９による制御の下、撮影条件や再構成条件、各種の画像データ等を表示する。また、ディスプレイ１０６は、再構成処理に要する再構成時間に関する情報を表示する。なお、再構成時間に関する情報の表示については後述する。
【００１１】
入力回路１０７は、各種指示や各種設定の入力に用いるマウスやキーボード、トラックボール、スイッチ、ボタン、ジョイスティック等を有し、操作者からの指示や設定の情報を、処理回路１０９に転送する。例えば、入力回路１０７は、所定の時間条件や条件に関する設定の入力操作の情報、再構成時間を決定する決定操作の情報を、処理回路１０９に転送する。なお、所定の時間条件、条件に関する設定及び決定操作については後述する。記憶回路１０８は、処理回路１０９がＸ線ＣＴ装置１による処理の全体を制御する際に用いるデータを記憶する。例えば、記憶回路１０８は、処理回路１０９によって実行される各プログラムを記憶する。また、記憶回路１０８は、各種の画像データを記憶する。
【００１２】
処理回路１０９は、算出機能１０９ａと、表示制御機能１０９ｂと、受付機能１０９ｃと、制御機能１０９ｄと、再構成機能１０９ｅを実行する。図１における実施形態では、構成要素の算出機能１０９ａ、表示制御機能１０９ｂ、受付機能１０９ｃ、制御機能１０９ｄ及び再構成機能１０９ｅにて行われる各処理機能は、コンピュータによって実行可能なプログラムの形態で記憶回路１０８へ記録されている。処理回路１０９はプログラムを記憶回路１０８から読み出し、実行することで各プログラムに対応する機能を実現するプロセッサである。換言すると、各プログラムを読み出した状態の処理回路１０９は、図１の処理回路１０９に示された各機能を有することとなる。なお、図１においては単一の処理回路にて、算出機能１０９ａ、表示制御機能１０９ｂ、受付機能１０９ｃ、制御機能１０９ｄ及び再構成機能１０９ｅにて行われる処理機能が実現するものとして説明したが、複数の独立したプロセッサを組み合わせて処理回路を構成し、各プロセッサがプログラムを実行することにより機能を実現するものとしても構わない。
【００１３】
上記説明において用いた「プロセッサ」という文言は、例えば、ＣＰＵ(Central  Processing  Unit)、ＧＰＵ(Graphics  Processing  Unit)、あるいは、特定用途向け集積回路（Application  Specific  Integrated  Circuit;  ASIC）、プログラマブル論理デバイス（例えば、単純プログラマブル論理デバイス（Simple  Programmable  Logic  Device;  SPLD）、複合プログラマブル論理デバイス（Complex  Programmable  Logic  Device;  CPLD）、及びフィールドプログラマブルゲートアレイ（Field  Programmable  Gate  Array;  FPGA））などの回路を意味する。プロセッサは記憶回路１０８に保存されたプログラムを読み出し実行することで機能を実現する。なお、記憶回路１０８にプログラムを保存する代わりに、プロセッサの回路内にプログラムを直接組み込むように構成しても構わない。この場合、プロセッサは回路内に組み込まれたプログラムを読み出し実行することで機能を実現する。なお、本実施形態の各プロセッサは、プロセッサごとに単一の回路として構成される場合に限らず、複数の独立した回路を組み合わせて１つのプロセッサとして構成し、その機能を実現するようにしてもよい。更に、図１における複数の構成要素を１つのプロセッサへ統合してその機能を実現するようにしてもよい。
【００１４】
第１の実施形態における算出機能１０９ａは、特許請求の範囲における算出部の一例である。また、第１の実施形態における表示制御機能１０９ｂは、特許請求の範囲における表示制御部の一例である。また、第１の実施形態における受付機能１０９ｃは、特許請求の範囲における受付部の一例である。
【００１５】
処理回路１０９は、Ｘ線ＣＴ装置１による処理の全体を制御する。Ｘ線ＣＴ装置１による処理とは、例えば、撮影、再構成処理、画像データの通信など、画像データを用いる検査に係る一連の処理である。例えば、処理回路１０９は、位置決め画像（スキャノ画像）や診断に用いる画像等の撮影における投影データの収集処理を制御する。なお、処理回路１０９は、位置決め画像（スキャノ画像）を２次元又は３次元で撮影することができる。
【００１６】
また、例えば、処理回路１０９は、収集した投影データを用いて画像データを再構成する。具体的には、処理回路１０９は、位置決め画像（スキャノ画像）や診断に用いる画像の投影データから、画像データをそれぞれ再構成する。ここで、再構成方法としては、種々の方法があり、例えば、逆投影処理が挙げられる。また、逆投影処理としては、例えば、ＦＢＰ（Filtered  Back  Projection）法による逆投影処理が挙げられる。あるいは、処理回路１０９は、逐次近似再構成（ＩＲ）を用いて、画像データを再構成することもできる。
【００１７】
また、例えば、処理回路１０９は、再構成した画像データに対して各種画像処理を行い、表示用の画像を生成する。そして、処理回路１０９は、再構成した画像データや各種画像処理により生成した画像を記憶回路１０８に格納する。また、処理回路１０９は、再構成処理に要する再構成時間を、撮影条件及び再構成条件において再構成時間に関与する条件の組み合わせごとに算出し、再構成時間に関する情報をディスプレイ１０６に表示させる。なお、処理回路１０９による再構成時間に関する情報の表示については後述する。
【００１８】
以上、第１の実施形態に係るＸ線ＣＴ装置１の全体構成について説明した。かかる構成のもと、第１の実施形態に係るＸ線ＣＴ装置１は、再構成時間を条件の組み合わせごとに算出し、算出した再構成時間に関する情報を操作者に提示することで、検査の効率を向上させる。
【００１９】
ここでまず、従来のＸ線ＣＴ装置について説明する。従来のＸ線ＣＴ装置においては、再構成処理に要する再構成時間に関する情報が表示されず、再構成処理が完了する時間を操作者が把握できないために、検査の効率が低下する場合があった。また、急患があった場合等において、撮影及び再構成処理を迅速に完了したい場合に、撮影条件及び再構成条件のうちのどれを、どのように変更すれば再構成時間が十分に短縮されるのかを、操作者が判断することは困難であった。
【００２０】
そこで、第１の実施形態に係るＸ線ＣＴ装置１は、再構成時間を条件の組み合わせごとに算出し、再構成時間に関する情報をディスプレイ１０６に表示することで、検査の効率を向上させる。また、Ｘ線ＣＴ装置１は、再構成時間に関する情報の表示に加え、再構成時間の調整を受け付けることで、検査の効率を更に向上させる。以下、第１の実施形態に係るＸ線ＣＴ装置１が行う処理について詳細に説明する。なお、以下の説明においては、撮影条件及び再構成条件において再構成時間に関与する条件を、再構成時間に関与する条件、あるいは単に、条件とも記載する。
【００２１】
まず、算出機能１０９ａは、撮影条件及び再構成条件の中から、再構成時間に関与する条件を抽出する。一例を挙げると、算出機能１０９ａは、撮影条件の中から、再構成時間に関与する条件として、スキャンモードやスキャン速度、ＦＯＶ（Field  Of  View）、撮影スライス厚、撮影範囲、ピッチ等を抽出する。なお、算出機能１０９ａは、直接的には再構成時間に影響しないものの、他の撮影条件又は再構成条件に影響を及ぼすことで、間接的に再構成時間に関与する撮影条件（例えば、造影剤の有無など）についても、抽出の対象とすることができる。
【００２２】
また、一例を挙げると、算出機能１０９ａは、再構成条件の中から、再構成時間に関与する条件として、画像スライス厚や再構成間隔、緊急の再構成であるか否か、拡大再構成におけるバリエリア、再構成中心、再構成の開始位置及び終了位置、マトリクスサイズ、補間方法、再構成のパラメータセット等を抽出する。なお、拡大再構成とは、画像データのうち詳細に読影すべき領域（バリエリア）に対応する画像データのみを再構成する処理である。
【００２３】
また、再構成のパラメータセットとは、例えば、再構成関数や再構成処理、フィルタ種、ＷＷ（Window  Width）、ＷＬ（Window  Level）、ＢｏｏｓｔのＯＮ／ＯＦＦ等のパラメータについて、グループとして設定可能としたものである。一例を挙げると、各パラメータについて複数のパターン（「Ｂｒａｉｎ」や「Ｎｅｃｋ」等）が予め設定され、例えば「Ｂｒａｉｎ」が選択されると、「Ｂｒａｉｎ」のパターンに従って各パラメータが設定される。なお、選択されるパターンは複数でもよい。ここで、算出機能１０９ａは、再構成のパラメータセットを一条件として抽出してもよいし、再構成のパラメータセットに含まれるパラメータの各々を個別の条件として抽出する場合であってもよい。
【００２４】
次に、算出機能１０９ａは、抽出した条件の組み合わせごとに、再構成時間を算出する。即ち、算出機能１０９ａは、各条件で再構成を行った場合の再構成時間を算出する。一例を挙げると、算出機能１０９ａは、被曝低減モードを「ＯＮ」とし、使用するフィルタを「フィルタ１」とし、スライス厚を「０．５ｍｍ」とし、マトリクスサイズを「５１２」とする条件の組み合わせについて再構成時間を算出する。また、算出機能１０９ａは、被曝低減モードを「ＯＮ」とし、使用するフィルタを「フィルタ１」とし、スライス厚を「０．５ｍｍ」とし、マトリクスサイズを「１０２４」とする条件の組み合わせについて再構成時間を算出する。即ち、算出機能１０９ａは、再構成時間に関与する条件それぞれの具体的な内容に応じて、再構成時間を算出する。なお、以下の説明において、撮影条件及び再構成条件とは、再構成時間に関与する条件として抽出された撮影条件及び再構成条件を示すものとして説明する。
【００２５】
ここで、算出機能１０９ａは、再構成時間を任意の方法で算出することができる。例えば、算出機能１０９ａは、使用されるフィルタの種類やスライス厚の値等から、再構成機能１０９ｅを実行するプロセッサの処理能力に応じて、再構成時間を算出することができる。また、例えば、算出機能１０９ａは、過去の実績から再構成時間を算出することができる。一例を挙げると、過去に実行された再構成処理の条件の組み合わせ及び再構成時間の記録が記憶回路１０８に格納される。そして、算出機能１０９ａは、条件の組み合わせ及び再構成時間の記録を記憶回路１０８から取得し、取得した記録に含まれる条件の組み合わせと再構成時間との対応関係に基づいて、再構成時間を算出することができる。
【００２６】
また、算出機能１０９ａは、任意の条件の組み合わせについて、再構成時間を算出することができる。ここで任意の条件とは、例えば、Ｘ線ＣＴ装置１が自動的に設定する条件であってもよいし、操作者が設定する条件であってもよい。一例を挙げると、算出機能１０９ａは、スキャンプロトコルにプリセットされた条件の組み合わせにおける再構成時間を算出することができる。また、一例を挙げると、算出機能１０９ａは、プリセットされた条件に対して操作者が変更を加えた後の条件の組み合わせにおける再構成時間を算出することができる。なお、算出機能１０９ａは、更に、撮影条件に基づいて、撮影時間を算出することができる。また、算出機能１０９ａは、更に、撮影条件及び再構成条件に基づいて、画像データを外部の装置（サーバ装置等）に通信するのに要する通信時間を算出することができる。
【００２７】
次に、表示制御機能１０９ｂは、算出機能１０９ａが算出した再構成時間に関する情報をディスプレイ１０６に表示させる。ここで、表示制御機能１０９ｂは、再構成時間に関する情報として、算出された再構成時間をそのまま表示してもよいし、算出された再構成時間に基づく値を表示してもよい。例えば、表示制御機能１０９ｂは、再構成時間に関する情報として、算出機能１０９ａが算出した再構成時間について端数処理を行った値を表示する。また、例えば、表示制御機能１０９ｂは、過去の処理において算出された再構成時間と実際に要した再構成時間との比較に基づいて、算出機能１０９ａが算出した再構成時間に生じる誤差を予測し、誤差を加味した再構成時間を表示する。あるいは、表示制御機能１０９ｂは、再構成時間に関する情報として、算出機能１０９ａが算出した再構成時間を認識できる図形やグラフを表示する。なお、以下では、表示制御機能１０９ｂが、算出された再構成時間に関する情報として、算出された再構成時間をそのまま表示する場合について説明する。
【００２８】
例えば、表示制御機能１０９ｂは、図２に示すように、ディスプレイ１０６にスキャン画面Ｒ１を表示させ、スキャン画面Ｒ１上に更に領域Ｒ２〜領域Ｒ６を表示させる。なお、図２は、第１の実施形態に係る再構成時間の表示例を示す図である。ここで、領域Ｒ２及び領域Ｒ３は位置決め画像（スキャノ画像）や診断用の画像データ等が表示される領域を示す。また、領域Ｒ４は、予定される撮影ごとに、撮影条件（撮影開始位置、撮影終了位置、撮影モード等）が表示される領域を示す。また、領域Ｒ５は、各種の撮影条件や再構成条件の表示領域を示す。なお、領域Ｒ４及び領域Ｒ５に表示される撮影条件や再構成条件は、操作者が変更できるものとしてもよい。また、領域Ｒ６は、算出機能１０９ａが算出した再構成時間が表示される領域を示す。
【００２９】
ここで、表示制御機能１０９ｂは、算出された再構成時間を条件の組み合わせに対応付けて表示させることができる。例えば、表示制御機能１０９ｂは、領域Ｒ５に撮影条件や再構成条件の全部又は一部を表示させ、領域Ｒ６に再構成時間「４１ｍｉｎ」を表示させる。なお、表示制御機能１０９ｂは、領域Ｒ５において、撮影条件や再構成条件をグループ分けし、グループごとにタブ等で切り替えて表示する場合であってもよい。また、表示制御機能１０９ｂは、領域Ｒ５において、撮影条件及び再構成条件の中で操作者から指定されたものを表示させる場合であってもよい。また、表示制御機能１０９ｂは、領域Ｒ５において、撮影条件及び再構成条件のうち、再構成時間に関与する条件を表示させることができる。なお、表示制御機能１０９ｂは、図２に示すように、領域Ｒ６において、撮影時間「１ｍｉｎ」を更に表示させる場合であってもよい。また、表示制御機能１０９ｂは、通信時間を更に表示させる場合であってもよい。
【００３０】
ディスプレイ１０６に表示された再構成時間は操作者によって参照され、例えば、検査計画を立てる上で必要な情報として用いられる。また、表示された再構成時間は、例えば、操作者により、検査の目的に適合するか否かが判断される。一例を挙げると、急患の検査においては、迅速に画像データを取得して診断を行う必要があり、長い再構成時間は検査の目的に適合しない。また別の一例を挙げると、詳細な画像データが必要な検査であって、撮影から診断までに時間的な余裕がある場合において、短い再構成時間は検査の目的に適合しない。一般に、長い再構成時間において再構成処理を行った方がより詳細な画像データを再構成することができ、また、画像データが詳細であるほど検査効率を向上させることができるためである。
【００３１】
ディスプレイ１０６に表示された再構成時間が検査の目的に適合しない場合や、その他操作者が必要と判断した場合、第１の実施形態に係るＸ線ＣＴ装置１は、更に、ディスプレイ１０６に表示された再構成時間に基づいた、再構成に用いる再構成時間を決定する決定操作を受け付けることができる。なお、以下では、再構成時間の決定操作に係る一連の処理を、再構成時間の調整、あるいは単に、調整とも記載する。
【００３２】
具体的には、まず、受付機能１０９ｃは、再構成時間の調整を行うか否かの指示を、再構成時間を参照した操作者から入力回路１０７を介して受け付ける。ここで、操作者から再構成時間の調整の指示を受け付けない場合、Ｘ線ＣＴ装置１は、再構成時間の調整を行うことなく、ディスプレイ１０６に表示された再構成時間において、再構成処理を実行する。なお、操作者から再構成時間の調整の指示を受け付けない場合とは、例えば、表示された再構成時間において検査を開始する旨の決定操作を受け付けた場合や、調整指示を受け付けることなく撮影開始の操作（曝射ボタンの押下等）がなされた場合等である。
【００３３】
一方で、操作者から再構成時間の調整の指示を受け付けた場合、Ｘ線ＣＴ装置１は、再構成時間の調整を開始する。例えば、受付機能１０９ｃは、再構成時間の調整指示として、図２に示す領域Ｒ６における再構成時間「４１ｍｉｎ」の欄を選択する操作を受け付ける。また、表示制御機能１０９ｂは、再構成時間の調整指示を受け付けた場合、再構成時間の調整に用いる情報を、ディスプレイ１０６に表示させる。
【００３４】
例えば、表示制御機能１０９ｂは、再構成時間の調整指示を受け付けると、再構成時間の調整に用いる情報として、代替となる再構成時間及び条件をディスプレイ１０６に表示させる。一例を挙げると、表示制御機能１０９ｂは、図３Ａに示すように、ディスプレイ１０６に領域Ｒ７を更に表示させる。ここで、図３Ａは、第１の実施形態に係る再構成時間の表示例を示す図である。そして、表示制御機能１０９ｂは、図３Ａに示すように、領域Ｒ７に、算出機能１０９ａが条件の組み合わせごとに複数算出した再構成時間Ｓ１１〜再構成時間Ｓ１５及び再構成時間Ｓ２１〜再構成時間Ｓ２５を、条件の組み合わせに対応付けてそれぞれ表示させることができる。
【００３５】
ここで、算出機能１０９ａは、同一の信号に対する複数回の再構成処理ごとに、条件の組み合わせごとの再構成時間をそれぞれ算出し、表示制御機能１０９ｂは、複数回の再構成処理ごとに算出された再構成時間を、条件の組み合わせに対応付けて、ディスプレイ１０６にそれぞれ表示させることができる。例えば、図３Ａに示すように、所定の撮影に対して再構成処理Ａ１及び再構成処理Ａ２の２回の再構成処理が実行される場合において、表示制御機能１０９ｂは、再構成処理Ａ１に用いる再構成時間の選択肢として再構成時間Ｓ１１〜再構成時間Ｓ１５を表示させ、再構成処理Ａ２に用いる再構成時間の選択肢として再構成時間Ｓ２１〜再構成時間Ｓ２５を表示させることができる。
【００３６】
図３Ａにおいては、再構成処理Ａ１に用いる再構成時間として、斜線で示す再構成時間Ｓ１１の「１ｍｉｎ」が選択されている。また、再構成処理Ａ２に用いる再構成時間として、斜線で示す再構成時間Ｓ２５の「４０ｍｉｎ」が選択されている。図３Ａにおいて選択されている再構成時間Ｓ１１及び再構成時間Ｓ２５は、例えば、スキャンプロトコルにプリセットされた条件の組み合わせにおける再構成時間に対応する。ここで、表示制御機能１０９ｂは、例えば、領域Ｒ６において、再構成処理Ａ１に用いる再構成時間と再構成処理Ａ２に用いる再構成時間とを合計した再構成時間「４１ｍｉｎ」を表示させることができる。
【００３７】
また、表示制御機能１０９ｂは、算出機能１０９ａが算出した再構成時間を、再構成時間に関与する条件の組み合わせに対応付けて、ディスプレイ１０６に表示させることができる。例えば、表示制御機能１０９ｂは、図３Ａに示すように、再構成時間に関与する条件として、被曝低減モード、フィルタ、スライス厚、マトリクスの４つの条件を表示させる。また、例えば、表示制御機能１０９ｂは、図３Ａに示すように、４つの条件の組み合わせごとに、再構成時間Ｓ１１〜再構成時間Ｓ１５及び再構成時間Ｓ２１〜再構成時間Ｓ２５をそれぞれ表示させる。
【００３８】
次に、受付機能１０９ｃは、再構成処理に用いる再構成時間を決定する決定操作を受け付ける。例えば、受付機能１０９ｃは、決定操作として、ディスプレイ１０６に表示された条件ごとの再構成時間の中から画像データの再構成に用いる再構成時間を選択する操作を受け付ける。一例を挙げると、受付機能１０９ｃは、図３Ｂに示すように、再構成処理Ａ１に用いる再構成時間として再構成時間Ｓ１１を選択し、再構成処理Ａ２に用いる再構成時間として再構成時間Ｓ２１を選択する操作を、決定操作として受け付ける。なお、図３Ｂは、第１の実施形態に係る再構成時間の表示例を示す図である。
【００３９】
そして、表示制御機能１０９ｂは、決定操作により決定された再構成時間をディスプレイ１０６に表示させる。例えば、表示制御機能１０９ｂは、図３Ｂに示すように、選択された再構成時間Ｓ１１の「１ｍｉｎ」及び再構成時間Ｓ２１の「１ｍｉｎ」を、領域Ｒ７において、それぞれ表示させる。また、例えば、表示制御機能１０９ｂは、図３Ｂに示すように、再構成時間Ｓ１１の「１ｍｉｎ」と再構成時間Ｓ２１の「１ｍｉｎ」とを合計した再構成時間「２ｍｉｎ」を、領域Ｒ６において表示させる。
【００４０】
上述したように、第１の実施形態に係るＸ線ＣＴ装置１は、再構成時間を操作者に提示しつつ、再構成時間の調整を受け付けることができる。一例を挙げると、調整前の再構成時間が、図３Ａの領域Ｒ６に示した「４１分」であり、調整後の再構成時間が、図３Ｂの領域Ｒ６に示した「２分」である場合、Ｘ線ＣＴ装置１は、再構成時間を「３９分」短縮することができる。
【００４１】
なお、第１の実施形態に係る受付機能１０９ｃが受け付ける決定操作は、上述した操作に限定されるものではない。例えば、受付機能１０９ｃは、条件ごとにディスプレイ１０６に表示された再構成時間の中から再構成時間が選択された後、決定操作として、再構成時間に関与する条件を変更する操作を受け付ける場合であってもよい。一例を挙げると、操作者が再構成処理Ａ２に用いたい再構成時間が図３Ａに示す再構成時間Ｓ２１に類似するが、スライス厚を「０．２５ｍｍ」でなく「０．５ｍｍ」としたい場合、受付機能１０９ｃは、まず、図３Ｂに示すように、再構成時間Ｓ２１を選択する操作を受け付ける。そして、受付機能１０９ｃは、図３Ｂに示す再構成時間Ｓ２１のスライス厚の値を「０．２５ｍｍ」から「０．５ｍｍ」に変更する操作を、決定操作として受け付けることができる。
【００４２】
なお、再構成時間に関与する条件を変更する操作を受け付けた場合において、算出機能１０９ａは、変更後の条件の組み合わせごとの再構成時間を算出する。ここで、算出機能１０９ａは、変更後の再構成時間を、変更する操作を受け付けた後に算出してもよいし、変更する操作を受け付ける前に予め算出してもよい。そして、表示制御機能１０９ｂは、変更された条件の組み合わせごとに算出された再構成時間をディスプレイ１０６に表示させることができる。
【００４３】
更に、第１の実施形態に係る受付機能１０９ｃは、ディスプレイ１０６に表示される再構成時間に関する種々の入力操作を受け付けることができる。例えば、受付機能１０９ｃは、所定の時間条件の入力操作を受け付ける。ここで、所定の時間条件とは、再構成処理に用いる再構成時間の上限値や下限値等であり、例えば「６０分以下」や「１０分以上３０分以下」といった時間的な設定を意味する。また、以下では、所定の時間条件を「完了時間」とも記載する。
【００４４】
例えば、再構成時間の調整の指示を受け付けると、表示制御機能１０９ｂは、図４に示すように、領域Ｒ７を表示させる。ここで、図４は、第１の実施形態に係る再構成時間の表示例を示す図である。そして、受付機能１０９ｃは、図４に示す領域Ｒ７において、所定の時間条件（完了時間）の入力操作を受け付けることができる。なお、受付機能１０９ｃは、再構成時間の調整の指示を受け付ける前に、完了時間の入力操作を受け付けることもできる。また、受付機能１０９ｃは、完了時間の入力操作として、操作者による完了時間の入力操作を、入力回路１０７を介して受け付ける場合であってもよいし、ＲＩＳ（Radiology  Information  System）やＨＩＳ（Hospital  Information  System）の検査予約情報等により定まる完了時間の自動的な入力操作を受け付ける場合であってもよい。
【００４５】
一例を挙げると、受付機能１０９ｃは、図４に示すように、完了時間を「６０分以下」とする入力操作を受け付ける。そして、表示制御機能１０９ｂは、領域Ｒ７に、完了時間の「６０分以下」を満たす再構成時間Ｔ１１〜再構成時間Ｔ１３を、条件の組み合わせに対応付けて表示させる。例えば、図４に示す再構成時間Ｔ１１における「３６分」は、再構成処理Ａ１に用いる再構成時間「１０分」と再構成処理Ａ２に用いる再構成時間「２６分」との合計であり、完了時間の「６０分以下」を満たす。
【００４６】
また、受付機能１０９ｃは、条件に関する設定の入力操作を受け付けることができる。以下、図５を用いて、条件に関する設定の入力操作について説明する。なお、図５は、第１の実施形態に係る再構成時間の表示例を示す図である。例えば、表示制御機能１０９ｂは、領域Ｒ７の「フィルタ」の欄のボタンが選択されると、図５に示すように、領域Ｒ８を表示させる。ここで、表示制御機能１０９ｂは、領域Ｒ８において、例えば、フィルタに関する各種の設定とチェックボックスとを併せて表示させる。そして、受付機能１０９ｃは、領域Ｒ８に表示されたチェックボックスへのチェックを介して、条件に関する設定の入力操作を受け付けることができる。
【００４７】
ここで、条件に関する設定とは、画像データの再構成に用いる条件の具体的な設定内容であり、例えば、受付機能１０９ｃは、図５に示すように、「フィルタ１」、「フィルタ２」又は「フィルタ４」のいずれかを再構成に用いるフィルタとする設定の入力操作を受け付けることができる。また、例えば、受付機能１０９ｃは、被曝低減モードを「ＯＮ」とし、スライス厚を「０．５ｍｍ」とし、マトリクスを「５１２」とする設定の入力操作を受け付けることができる。
【００４８】
そして、表示制御機能１０９ｂは、条件に関する設定を満たす再構成時間をディスプレイ１０６に表示させることができる。例えば、表示制御機能１０９ｂは、図５に示すように、被曝低減モードが「ＯＮ」であり、再構成に用いるフィルタが「フィルタ１」、「フィルタ２」及び「フィルタ４」のいずれかであり、スライス厚が「０．５ｍｍ」であり、マトリクスが「５１２」である再構成時間Ｔ２１〜再構成時間Ｔ２３を、ディスプレイ１０６に表示させることができる。
【００４９】
上述したように、表示制御機能１０９ｂは、算出機能１０９ａが算出した再構成時間をディスプレイ１０６に表示させる。ここで、表示制御機能１０９ｂは、再構成時間のみを表示させる場合であってもよいし、図５に示すように、算出機能１０９ａが算出した撮影時間「１ｍｉｎ」を更に表示させる場合であってもよい。また、算出機能１０９ａは、撮影条件及び再構成条件に基づいて画像データの通信に要する通信時間を更に算出し、表示制御機能１０９ｂは、撮影時間、再構成時間及び通信時間をディスプレイ１０６に表示させる場合であってもよい。
【００５０】
また、表示制御機能１０９ｂは、種々の表示方法において、再構成時間等を表示させることができる。例えば、表示制御機能１０９ｂは、図６Ａに示すように、撮影（曝射）、再構成処理、通信の各々の所要時間と、これらを合計した時間とを併せて表示させる場合であってもよい。また、例えば、表示制御機能１０９ｂは、図６Ｂに示すように、撮影（曝射）、再構成処理、通信の各々が完了する時刻を表示させる場合であってもよい。また、例えば、表示制御機能１０９ｂは、図６Ｃに示すように、撮影（曝射）、再構成処理、通信の実行期間に相当する時間情報を示す、タイムライン等の図を表示させる場合であってもよい。なお、図６Ａ、図６Ｂ及び図６Ｃは、第１の実施形態に係る再構成時間の表示例を示す図である。
【００５１】
あるいは、表示制御機能１０９ｂは、撮影及び再構成処理の各々の所要時間と、これらを合計した時間とを併せて表示させる場合であってもよいし、撮影及び再構成処理の各々が完了する時刻を表示させる場合であってもよいし、撮影及び再構成処理の実行期間に相当する時間情報を示す、タイムライン等の図を表示させる場合であってもよい。また、表示制御機能１０９ｂは、再構成処理の完了する時刻を表示させる場合であってもよいし、再構成処理の実行期間に相当する時間情報を示す、タイムライン等の図を表示させる場合であってもよい。
【００５２】
そして、Ｘ線ＣＴ装置１は、上述の再構成時間の調整が完了した場合、あるいは再構成時間の調整指示を受け付けなかった場合、撮影及び再構成処理を実行する。具体的には、撮影の開始要求を受け付けると、制御機能１０９ｄは、高電圧発生器１０１、Ｘ線源１０２、回転フレーム１０３、天板１０４及びＸ線検出器１０５を含む撮影系を制御して、被検体Ｐの撮影を実行する。そして、再構成機能１０９ｅは、被検体Ｐを透過したＸ線に由来する信号に基づく画像データの再構成処理を実行する。
【００５３】
次に、Ｘ線ＣＴ装置１による処理の手順の一例を、図７を用いて説明する。図７は、第１の実施形態に係るＸ線ＣＴ装置の処理の一連の流れを説明するためのフローチャートである。ステップＳ１２００は、算出機能１０９ａに対応するステップである。ステップＳ１３００は、表示制御機能１０９ｂに対応するステップである。ステップＳ１１００、ステップＳ１４００、ステップＳ１６００及びステップＳ１９００は、受付機能１０９ｃに対応するステップである。ステップＳ１７００は、制御機能１０９ｄに対応するステップである。ステップＳ１８００は、再構成機能１０９ｅに対応するステップである。
【００５４】
まず、処理回路１０９は、操作者から検査開始要求を受け付けたか否かを判定する（ステップＳ１１００）。検査開始要求を受け付けない場合（ステップＳ１１００否定）、処理回路１０９は待機状態となる。一方、検査開始要求を受け付けた場合（ステップＳ１１００肯定）、処理回路１０９は、再構成時間を条件の組み合わせごとに算出し（ステップＳ１２００）、算出した再構成時間をディスプレイ１０６に表示させる（ステップＳ１３００）。
【００５５】
ここで処理回路１０９は、操作者から再構成時間の調整要求を受け付けたか否かを判定する（ステップＳ１４００）。調整要求を受け付けた場合（ステップＳ１４００肯定）において再構成時間の調整（ステップＳ１５００）を実行した後、あるいは調整要求を受け付けない場合（ステップＳ１４００否定）、処理回路１０９は、撮影開始要求を受け付けたか否かを判定する（ステップＳ１６００）。撮影開始要求を受け付けない場合（ステップＳ１６００否定）、処理回路１０９は待機状態となる。一方、撮影開始要求を受け付けた場合（ステップＳ１６００肯定）、処理回路１０９は、被検体Ｐに対し撮影を実行する（ステップＳ１７００）。
【００５６】
そして、処理回路１０９は、被検体Ｐから収集した信号に基づく画像データの再構成処理を実行し（ステップＳ１８００）、操作者から終了コマンドを受け付けたか否かを判定する（ステップＳ１９００）。終了コマンドを受け付けない場合（ステップＳ１９００否定）、処理回路１０９は待機状態となる。一方、終了コマンドを受け付けた場合（ステップＳ１９００肯定）、処理回路１０９は処理を終了する。
【００５７】
なお、予め被検体Ｐに対する撮影が実行され、被検体Ｐからの信号の収集が完了している場合においては、ステップＳ１６００の撮影開始要求を受け付けたか否かの判定、及びステップＳ１７００の撮影を行わないものとしてもよい。また、ステップＳ１１００肯定により検査開始要求を受け付けた後にステップＳ１５００の再構成時間の調整を行うものとし、ステップＳ１２００の再構成時間の算出、ステップＳ１３００の再構成時間の表示及びステップＳ１４００の調整要求を受け付けたか否かの判定を行わないものとしてもよい。
【００５８】
以上、第１の実施形態に係るＸ線ＣＴ装置１の処理の一連の流れについて説明した。次に、図８を用いて、第１の実施形態に係る再構成時間の調整の処理について説明する。図８は、第１の実施形態に係る再構成時間の調整の一連の流れを説明するためのフローチャートである。ここで、図８は、図７のステップＳ１５００に対応する処理を示す。
【００５９】
図８において、ステップＳ１５０１は、算出機能１０９ａに対応するステップである。ステップＳ１５０２は、表示制御機能１０９ｂに対応するステップである。ステップＳ１５０３、ステップＳ１５０４、ステップＳ１５０５及びステップＳ１５０６は、受付機能１０９ｃに対応するステップである。
【００６０】
まず、処理回路１０９は、複数の再構成時間を条件の組み合わせごとに算出し（ステップＳ１５０１）、算出した複数の再構成時間をディスプレイ１０６に表示させる（ステップＳ１５０２）。次に、処理回路１０９は、ディスプレイ１０６に表示された条件ごとの再構成時間の中から、画像データの再構成に用いる再構成時間を選択する操作を受け付ける（ステップＳ１５０３）。
【００６１】
ここで、処理回路１０９は、操作者から調整終了コマンドを受け付けたか否かを判定する（ステップＳ１５０４）。調整終了コマンドを受け付けた場合（ステップＳ１５０４肯定）、処理回路１０９は処理を終了する。一方、調整終了コマンドを受け付けない場合（ステップＳ１５０４否定）、処理回路１０９は、選択された再構成時間に関与する条件を変更する操作を受け付ける（ステップＳ１５０５）。ここで、処理回路１０９は、操作者から調整終了コマンドを受け付けたか否かを判定する（ステップＳ１５０６）。調整終了コマンドを受け付けない場合（ステップＳ１５０６否定）、処理回路１０９は、再度ステップＳ１５０２に移行する。一方、調整終了コマンドを受け付けた場合（ステップＳ１５０６肯定）、処理回路１０９は、処理を終了する。
【００６２】
なお、ステップＳ１５０２において表示される複数の再構成時間を、図７のステップＳ１２００において算出していた場合は、ステップＳ１５０１を行わないものとしてもよい。また、ステップＳ１５０６において調整終了コマンドを受け付けず、再度ステップＳ１５０２に移行した際には、既に表示した複数の再構成時間と異なる複数の再構成時間を表示させる場合であってもよい。また、ステップＳ１５０５及びステップＳ１５０６は行わないものとしてもよく、ステップＳ１５０４の調整終了コマンドを受け付けない場合に、再度ステップＳ１５０２に移行するものとしてもよい。
【００６３】
上述したように、第１の実施形態によれば、算出機能１０９ａは、被検体Ｐから収集した信号に基づく画像データの再構成処理に要する再構成時間を、撮影条件及び再構成条件に基づいて算出する。また、表示制御機能１０９ｂは、算出機能１０９ａが算出した再構成時間に関する情報をディスプレイ１０６に表示させる。従って、第１の実施形態に係るＸ線ＣＴ装置１は、再構成時間を操作者に提示し、診断までにかかる時間の推測を可能とすることで、検査の効率を向上させることができる。
【００６４】
また、上述したように、第１の実施形態によれば、受付機能１０９ｃは、ディスプレイ１０６に表示された再構成時間に基づいた、再構成時間を決定する決定操作を受け付ける。また、表示制御機能１０９ｂは決定操作により決定された再構成時間をディスプレイ１０６に表示させる。従って、第１の実施形態に係るＸ線ＣＴ装置１は、再構成時間を操作者に提示してその調整を可能とすることで、適切な再構成時間において画像データの再構成処理を実行し、検査の効率を向上させることができる。
【００６５】
また、第１の実施形態によれば、受付機能１０９ｃは、ディスプレイ１０６に表示させた再構成時間を短縮する操作を受け付けることができる。従って、第１の実施形態に係るＸ線ＣＴ装置１は、急患の検査においても、再構成時間を必要に応じて短縮し、再構成処理に長い時間を要することで診断に影響してしまう事態を回避することができる。
【００６６】
また、第１の実施形態によれば、受付機能１０９ｃは、ディスプレイ１０６に表示させた再構成時間を延長する操作を受け付けることができる。従って、第１の実施形態に係るＸ線ＣＴ装置１は、診断までに時間的余裕がある場合において再構成処理に十分な時間を配分し、詳細な画像データを生成することで、検査の効率を向上させることができる。
【００６７】
また、第１の実施形態に係るＸ線ＣＴ装置１は、所定の時間条件の入力操作を受け付け、所定の時間条件を満たす再構成時間をディスプレイ１０６に表示させる。従って、第１の実施形態に係るＸ線ＣＴ装置１は、検査の目的に適合しない再構成時間を前もって排除した上で効率的に再構成時間の調整を行うことができ、検査の効率を更に向上させることができる。
【００６８】
また、第１の実施形態に係るＸ線ＣＴ装置１は、条件に関する設定の入力操作を受け付け、条件に関する設定を満たす再構成時間をディスプレイ１０６に表示させる。従って、第１の実施形態に係るＸ線ＣＴ装置１は、再構成時間に関与する条件について、検査の目的に応じて必要とされる設定がある場合に、必要な設定を満たさない条件ごとの再構成時間を前もって排除した上で、効率的に再構成時間の調整を行うことができ、検査の効率を更に向上させることができる。
【００６９】
また、第１の実施形態によれば、表示制御機能１０９ｂは、再構成時間のみならず、撮影時間や通信時間を再構成時間と併せてディスプレイ１０６に表示させる。従って、第１の実施形態に係るＸ線ＣＴ装置１は、診断までにかかる実際の時間を、直接的に操作者に提示することで、検査の効率を更に向上させることができる。
【００７０】
また、第１の実施形態によれば、表示制御機能１０９ｂは、再構成時間や撮影時間、通信時間を、各処理の所要時間として、又は各処理が完了する時刻として、あるいは各処理の実行期間に相当する時間情報を示す図として、操作者に提示する。従って、第１の実施形態に係るＸ線ＣＴ装置１は、操作者による再構成時間の理解を容易にし、検査の効率を更に向上させることができる。
【００７１】
（第２の実施形態）
上述した第１の実施形態では、被検体Ｐについての再構成時間を表示する場合について説明した。これに対して第２の実施形態では、被検体Ｐの部位のそれぞれについての再構成時間を表示する場合について説明する。なお、第２の実施形態に係るＸ線ＣＴ装置は、図１に示した第１の実施形態に係るＸ線ＣＴ装置１と同様の構成を有し、算出機能１０９ａ、表示制御機能１０９ｂ、受付機能１０９ｃ及び制御機能１０９ｄにおける処理が一部相違する。そこで、第１の実施形態において説明した構成と同様の機能を有する点については、図１と同一の符号を付し、説明を省略する。
【００７２】
具体的には、まず、第２の実施形態に係る受付機能１０９ｃは、撮影計画の入力を受け付けることができる。例えば、受付機能１０９ｃは、図９に示すように、撮影計画として、頭部及び胸部を高解像度撮影とし、腹部を標準撮影とし、他の部位については撮影を行わないとする撮影計画の入力を受け付ける。なお、図９は、第２の実施形態に係る部位ごとの撮影計画を説明するための図である。ここで、画像データの解像度は、再構成時間に関与する条件の一つである。
【００７３】
次に、第２の実施形態に係る算出機能１０９ａは、被検体Ｐの各部位に対応する撮影範囲を設定する。例えば、算出機能１０９ａは、図１０Ａに示すように、被検体Ｐ１の部位Ｑ１〜部位Ｑ４の各々について撮影範囲を設定する。また、例えば、算出機能１０９ａは、図１０Ｂに示すように、被検体Ｐ２の部位Ｑ５〜部位Ｑ８の各々について撮影範囲を設定する。ここで、図１０Ａ及び図１０Ｂは、第２の実施形態に係る部位の設定を説明するための図である。なお、被検体Ｐ１及び被検体Ｐ２は、それぞれ、被検体Ｐの一例である。
【００７４】
ここで、算出機能１０９ａが撮影範囲の設定を行う方法は任意である。例えば、算出機能１０９ａは、解剖学的特徴点に基づき部位の位置情報を取得する解析アプリケーションを用いて、位置決め画像から被検体Ｐの各部位を抽出することで、各撮影範囲を設定することができる。ここで、算出機能１０９ａは、解析アプリケーション及び位置決め画像の利用により、被検体Ｐの位置や体格に合わせて撮影範囲を設定し、最適化することができる。例えば、図１０Ａに示す被検体Ｐ１と図１０Ｂに示す被検体Ｐ２とでは体格が異なるが、算出機能１０９ａは、図１０Ａに示す部位Ｑ１〜部位Ｑ４及び図１０Ｂに示す部位Ｑ５〜部位Ｑ８のように、各被検体の体格に応じて、撮影範囲を適切に設定することができる。なお、被検体Ｐにおける撮影範囲の設定は、位置決め画像上において、操作者が行うこともできる。
【００７５】
そして、撮影範囲を設定した後、算出機能１０９ａは、被検体Ｐの部位ごとに、再構成時間に関与する条件の組み合わせごとの再構成時間をそれぞれ算出する。例えば、図１０Ａに示すように部位Ｑ１〜部位Ｑ４を設定した後、算出機能１０９ａは、部位Ｑ１についての再構成時間、部位Ｑ２についての再構成時間、部位Ｑ３についての再構成時間及び部位Ｑ４についての再構成時間をそれぞれ算出する。
【００７６】
次に、第２の実施形態に係る表示制御機能１０９ｂは、算出機能１０９ａが被検体Ｐの部位ごとに算出した再構成時間をディスプレイ１０６にそれぞれ表示させる。例えば、表示制御機能１０９ｂは、図１１に示すように、被検体Ｐの部位Ｑ９、部位Ｑ１０及び部位Ｑ１１のそれぞれについて算出された再構成時間を、各部位の解像度及び撮影範囲に対応付けて、それぞれ表示させる。なお、図１１は、第２の実施形態に係る部位ごとの再構成時間の表示例を示す図である。
【００７７】
また、表示制御機能１０９ｂは、位置決め画像上で指定された被検体Ｐの部位について、算出機能１０９ａが被検体Ｐの部位ごとに算出した再構成時間を、再構成時間に関与する条件の組み合わせに対応付けて、ディスプレイ１０６に表示させる場合であってもよい。例えば、表示制御機能１０９ｂは、図１２に示すように、スキャン画面Ｒ１上の領域Ｒ２において位置決め画像を表示し、位置決め画像上において部位Ｑ１２〜部位Ｑ１４を表示する。なお、図１２は、第２の実施形態に係る部位ごとの再構成時間の表示例を示す図である。次に、受付機能１０９ｃは、入力回路１０７を介し、操作者による部位の指定操作を受け付ける。ここで、例えば、図１２に示す部位Ｑ１２が指定された場合、表示制御機能１０９ｂは、図１２に示すように、スキャン画面Ｒ１上に領域Ｒ９を表示させ、領域Ｒ９において、部位Ｑ１２について収集された信号に基づく画像データの再構成処理に要する再構成時間を条件の組み合わせごとに表示させることができる。
【００７８】
ここで、第２の実施形態に係る受付機能１０９ｃは、更に、被検体Ｐの部位ごとに、再構成時間を決定する決定操作を受け付けることができる。例えば、図１２に示すように、部位Ｑ１２について再構成処理Ａ３及び再構成処理Ａ４が実行される場合に、受付機能１０９ｃは、決定操作として、再構成処理Ａ３に用いる再構成時間を再構成時間Ｓ３１〜再構成時間Ｓ３５の中から選択し、再構成処理Ａ４に用いる再構成時間を再構成時間Ｓ４１〜再構成時間Ｓ４５の中から選択する操作を受け付けることができる。
【００７９】
また、受付機能１０９ｃは、任意の部位について再構成時間の決定操作を受け付けた後に、他の部位についての再構成時間の決定操作を受け付けることができる。例えば、受付機能１０９ｃは、部位Ｑ１２についての再構成時間の決定操作を受け付けた後、部位Ｑ１３の指定操作を受け付けることができる。そして、表示制御機能１０９ｂは部位Ｑ１３についての再構成時間を条件の組み合わせごとに表示させ、受付機能１０９ｃは部位Ｑ１３についての再構成時間の決定操作を受け付けることができる。なお、表示制御機能１０９ｂは、例えば、図１２の領域Ｒ６において、部位Ｑ１２〜部位Ｑ１４の各々についての再構成時間の合計「１０ｍｉｎ」を表示させることができる。
【００８０】
再構成時間の調整が完了した場合、あるいは再構成時間の調整指示を受け付けなかった場合、表示制御機能１０９ｂによりディスプレイ１０６に表示された再構成時間において、再構成が実行される。ここで、制御機能１０９ｄは、図１３に示すように、被検体Ｐの部位ごとに撮影を切り替えながら、撮影が実行されるように撮影系を制御することができる。なお、図１３は、第２の実施形態に係る部位ごとの撮影を説明するための図である。図１３左図に示す部位Ｑ１５は撮影の対象となる部位を示し、図１３右図に示す部位Ｑ１６及び部位Ｑ１７は撮影が完了した部位を示し、部位Ｑ１８はこれから撮影される部位を示す。
【００８１】
例えば、制御機能１０９ｄは、図１３右図に示す部位Ｑ１６の上端を撮影の開始地点とし、撮影計画に従って、部位Ｑ１６に対する高解像度撮影の実行を制御する。部位Ｑ１６についての撮影が完了すると、制御機能１０９ｄは、例えば、撮影を高解像度撮影から標準撮影に切り替え、部位Ｑ１７に対する標準撮影の実行を制御する。そして、制御機能１０９ｄは、同様に撮影を切り替えながら部位Ｑ１８に対する撮影の実行を制御し、撮影を終了する。そして再構成機能１０９ｅは、Ｘ線検出器１０５が検出した信号に基づき、Ｘ線画像データの再構成処理を実行する。
【００８２】
次に、図１４を用いて、第２の実施形態に係る再構成時間の調整について説明する。図１４は、第２の実施形態に係る再構成時間の調整の一連の流れを説明するためのフローチャートである。ここで、図１４は、図７のステップＳ１５００に対応する処理を示す。
【００８３】
図１４において、ステップＳ２５０１は、算出機能１０９ａに対応するステップである。ステップＳ２５０３は、表示制御機能１０９ｂに対応するステップである。ステップＳ２５０２、ステップＳ２５０４、ステップＳ２５０５、ステップＳ２５０６、ステップＳ２５０７及びステップＳ２５０８は、受付機能１０９ｃに対応するステップである。
【００８４】
まず、処理回路１０９は、被検体Ｐの部位ごとに、複数の再構成時間を条件の組み合わせごとに算出する（ステップＳ２５０１）。次に、処理回路１０９は、位置決め画像上において被検体Ｐの部位の指定を受け付け（ステップＳ２５０２）、指定された部位についての複数の再構成時間をディスプレイ１０６に表示させる（ステップＳ２５０３）。そして、処理回路１０９は、ディスプレイ１０６に表示された再構成時間の中から、画像データの再構成に用いる再構成時間を選択する操作を受け付ける（ステップＳ２５０４）。
【００８５】
ここで、処理回路１０９は、操作者から調整終了コマンドを受け付けたか否かを判定する（ステップＳ２５０５）。調整終了コマンドを受け付けない場合（ステップＳ２５０５否定）、処理回路１０９は、選択された再構成時間に関与する条件を変更する操作を受け付ける（ステップＳ２５０６）。ここで、処理回路１０９は、操作者から調整終了コマンドを受け付けたか否かを判定する（ステップＳ２５０７）。調整終了コマンドを受け付けない場合（ステップＳ２５０７否定）、処理回路１０９は、再度ステップＳ２５０３に移行する。
【００８６】
一方、調整終了コマンドを受け付けた場合（ステップＳ２５０５肯定又はステップＳ２５０７肯定）、処理回路１０９は、操作者から他の部位の再構成時間を調整する操作を受け付けたか否かを判定する（ステップＳ２５０８）。ここで、処理回路１０９は、他の部位の再構成時間を調整する操作を受け付けた場合（ステップＳ２５０８肯定）、再度ステップＳ２５０２に移行し、部位の選択を受け付ける。一方、他の部位の再構成時間を調整する操作を受け付けない場合（ステップＳ２５０８否定）、処理回路１０９は、処理を終了する。
【００８７】
上述したように、第２の実施形態によれば、算出機能１０９ａは、被検体Ｐの部位ごとに、条件の組み合わせごとの再構成時間をそれぞれ算出する。また、表示制御機能１０９ｂは、算出機能１０９ａが被検体Ｐの部位ごとに算出した再構成時間をディスプレイ１０６にそれぞれ表示させる。従って、第２の実施形態に係るＸ線ＣＴ装置１は、再構成時間を被検体Ｐの部位ごとに操作者に提示し、検査の効率を向上させることができる。
【００８８】
また、第２の実施形態に係るＸ線ＣＴ装置１は、撮影計画時に撮影部位の入力を受け付けることにより、部位ごとに有効な撮影条件で撮影を行うことができ、検査の効率を向上させることができる。また、第２の実施形態に係るＸ線ＣＴ装置１は、各撮影部位について収集された信号に基づく画像データの再構成処理を、部位ごとに有効な再構成条件で行うことができ、検査の効率を向上させることができる。
【００８９】
また、第２の実施形態によれば、制御機能１０９ｄは、被検体Ｐの部位ごとに撮影を切り替えながら撮影が実行されるように撮影系を制御することができる。従って、第２の実施形態に係るＸ線ＣＴ装置１は、不要被曝を低減し、また、再撮影を回避することができる。
【００９０】
（第３の実施形態）
上述した第１の実施形態では、条件に関する設定について、図５に示す一例を説明した。これに対して第３の実施形態では、条件に関する設定のバリエーションについて説明する。なお、第３の実施形態に係るＸ線ＣＴ装置は、図１に示した第１の実施形態に係るＸ線ＣＴ装置１と同様の構成を有し、表示制御機能１０９ｂ及び受付機能１０９ｃにおける処理が一部相違する。そこで、第１の実施形態において説明した構成と同様の機能を有する点については、図１と同一の符号を付し、説明を省略する。
【００９１】
第３の実施形態に係る受付機能１０９ｃは、条件に関する設定の入力操作として、例えば、画像データの解像度（画質）に関する設定の入力操作を受け付けることができる。ここで画像データの解像度について、図１５Ａ、図１５Ｂ及び図１５Ｃを用いて説明する。なお、図１５Ａ、図１５Ｂ及び図１５Ｃは、第３の実施形態に係る画像データの解像度を説明するための図である。
【００９２】
画像データの解像度には、図１５Ａ左図に示すように、被検体Ｐの体軸方向に垂直なＸ方向及びＹ方向の解像度と、被検体Ｐの体軸方向であるＺ方向の解像度とがある。また、図１５Ｂに示すような３次元の画像データの生成においては、被検体Ｐの断面の画像データ（以下、単に画像データとも記載する）が、所定の枚数必要となる。ここで所定の枚数とは、実サイズ分のデータである。例えば、図１５Ａ右図に示すように、被検体Ｐの体軸方向（Ｚ方向）のピクセルサイズが「０．５ｍｍ」であり、撮影範囲が「２００ｍｍ」だったとすると、「４００枚」分の画像データが必要となる。一方で実際に再構成された画像データが「１００枚」だったとすると、不足分である「３００枚」の画像データを補間する必要がある。
【００９３】
補間する画像データの枚数は、実際に再構成される画像データの枚数に依存する。例えば、図１５Ｃに示すように、高画質の条件で「４００枚」の画像データを再構成した場合、補間は不要となる。また、例えば、普通の条件で「３２０枚」の画像データを再構成した場合、「８０枚」分の画像データを補間する必要を生じ、補間率は「２０％」となる。同様に、低画質１の条件で「２００枚」の画像データを再構成した場合の補間率は「５０％」となり、低画質２の条件で「１００枚」の画像データを再構成した場合の補間率は「７５％」となる。ここで、補間率が高い（再構成される画像データの枚数が少ない）ほど、被検体Ｐの体軸方向（Ｚ方向）での画質が低下する。
【００９４】
ここで、第３の実施形態に係るＸ線ＣＴ装置１は、被検体Ｐの体軸方向（Ｚ方向）に垂直なＸ方向及びＹ方向について、高画質の設定にすることが可能であり、例えば、「１０２４×１０２４」のマトリクスを有する高解像度の画像データ（ハイレゾ画像）を再構成することができる。一方で、上述したように、Ｘ線ＣＴ装置１は、Ｘ方向及びＹ方向が高解像度であっても、Ｚ方向が低解像度であれば、詳細な３次元の画像データを取得することはできない。
【００９５】
そこで、第３の実施形態に係る受付機能１０９ｃは、被検体Ｐの体軸方向（Ｚ方向）に垂直な方向の解像度に限らず、被検体Ｐの体軸方向（Ｚ方向）の解像度に関与する設定の入力操作を受け付けることができる。例えば、表示制御機能１０９ｂは、図１６に示すように、スキャン画面Ｒ１上の領域Ｒ７において高画質チェックボックスＲ１０及び高画質チェックボックスＲ１１を表示し、受付機能１０９ｃは、チェックボックスへのチェックを介して、解像度に関与する設定の入力操作を受け付けることができる。なお、図１６は、第３の実施形態に係る再構成時間の表示例を示す図である。
【００９６】
例えば、図１６に示すように、高画質チェックボックスＲ１１がチェックされた場合、表示制御機能１０９ｂは、再構成処理Ａ６を高画質モードとし、高画質の条件に対応付いた再構成時間Ｓ６１〜再構成時間Ｓ６５を表示させることができる。ここで、図１６に示す再構成時間Ｓ６１〜再構成時間Ｓ６５の各々は、３次元の画像データを生成した際、被検体Ｐの体軸方向（Ｚ方向）に垂直な方向の解像度と、被検体Ｐの体軸方向（Ｚ方向）の解像度とを同程度の高さとする内容であることが好ましい。
【００９７】
そして、受付機能１０９ｃは、再構成時間を決定する決定操作を受け付ける。ここで、高画質モードとされた再構成処理Ａ６について、Ｘ線ＣＴ装置１は、操作者が図１６に示す再構成時間Ｓ６１〜再構成時間Ｓ６５の中からいずれを選択したとしても、高画質の条件の組み合わせに対応付いた再構成時間において、再構成処理を実行することができる。即ち、Ｘ線ＣＴ装置１は、いずれの方向についても解像度が高い詳細な３次元の画像データを生成することができる。
【００９８】
次に、図１７を用いて、第３の実施形態に係る再構成時間の調整について説明する。図１７は、第３の実施形態に係る再構成時間の調整の一連の流れを説明するためのフローチャートである。ここで、図１７は、図７のステップＳ１５００に対応する処理を示す。
【００９９】
図１７において、ステップＳ３５０１は、算出機能１０９ａに対応するステップである。ステップＳ３５０２及びステップＳ３５０４は、表示制御機能１０９ｂに対応するステップである。ステップＳ３５０３、ステップＳ３５０５、ステップＳ３５０６、ステップＳ３５０７及びステップＳ３５０８は、受付機能１０９ｃに対応するステップである。
【０１００】
まず、処理回路１０９は、複数の再構成時間を条件の組み合わせごとに算出し（ステップＳ３５０１）、算出した複数の再構成時間をディスプレイ１０６に表示させる（ステップＳ３５０２）。ここで、処理回路１０９は、操作者から高画質モードとする操作を受け付けたか否かを判定する（ステップＳ３５０３）。そして、処理回路１０９は、高画質モードとする操作を受け付けた場合においては（ステップＳ３５０３肯定）、高画質の条件を満たす複数の再構成時間をディスプレイ１０６に表示（ステップＳ３５０４）させた後に、高画質モードとする操作を受け付けない場合（ステップＳ３５０３否定）においてはそのまま、ディスプレイ１０６に表示された条件ごとの再構成時間の中から、画像データの再構成に用いる再構成時間を選択する操作を受け付ける（ステップＳ３５０５）。
【０１０１】
ここで、処理回路１０９は、操作者から調整終了コマンドを受け付けたか否かを判定する（ステップＳ３５０６）。調整終了コマンドを受け付けた場合（ステップＳ３５０６肯定）、処理回路１０９は処理を終了する。一方、調整終了コマンドを受け付けない場合（ステップＳ３５０６否定）、処理回路１０９は、選択された再構成時間に関与する条件を変更する操作を受け付ける（ステップＳ３５０７）。ここで、処理回路１０９は、操作者から調整終了コマンドを受け付けたか否かを判定する（ステップＳ３５０８）。調整終了コマンドを受け付けない場合（ステップＳ３５０８否定）、処理回路１０９は、再度ステップＳ３５０２に移行する。一方、調整終了コマンドを受け付けた場合（ステップＳ３５０８肯定）、処理回路１０９は、処理を終了する。
【０１０２】
上述したように、第３の実施形態によれば、受付機能１０９ｃは、画像データの解像度に関与する設定の入力操作を受け付ける。従って、第３の実施形態に係るＸ線ＣＴ装置１は、再構成時間の表示及び調整を行った上で、設定された解像度を満たす画像データを再構成し、検査の効率を向上させることができる。
【０１０３】
また、第３の実施形態によれば、受付機能１０９ｃは、高画質の条件の組み合わせに対応付けて再構成時間を表示させる。従って、第３の実施形態に係るＸ線ＣＴ装置１は、急患等の時間的な制約がある検査においても、操作者に再構成時間を提示しつつ高画質モードを使用させることで、高画質モードの長い再構成時間が後の診断に影響する事態を回避しつつ、詳細な画像データを生成し、検査の効率を向上させることができる。
【０１０４】
また、第３の実施形態によれば、受付機能１０９ｃは、高画質チェックボックスへのチェックにより、画像データの解像度に関与する設定の入力操作を受け付ける。従って、第３の実施形態に係るＸ線ＣＴ装置１は、操作者による設定の入力操作を容易にし、検査の効率を更に向上させることができる。
【０１０５】
また、第３の実施形態に係るＸ線ＣＴ装置１は、被検体Ｐの体軸方向（Ｚ方向）の解像度に関与する設定の入力を受け付ける。従って、第１の実施形態に係るＸ線ＣＴ装置１は、被検体Ｐの体軸方向に垂直な方向のみならず、被検体Ｐの体軸方向についても高解像度とした詳細な３次元画像データを生成し、検査の効率を向上させることができる。
【０１０６】
（第４の実施形態）
上述した第１の実施形態では、図３Ａ等に示すように、再構成時間に関する情報を、撮影条件及び再構成条件の組み合わせに対応付けてディスプレイ１０６に表示させる場合について説明した。これに対し、第４の実施形態では、外部の装置（サーバ装置等）への画像データの通信時間に関する情報を、撮影条件及び再構成条件の組み合わせに対応付けてディスプレイ１０６に表示させる場合について説明する。なお、第４の実施形態に係るＸ線ＣＴ装置１は、図１に示した第１の実施形態に係るＸ線ＣＴ装置１と同様の構成を有し、算出機能１０９ａ、表示制御機能１０９ｂ及び受付機能１０９ｃにおける処理が一部相違する。そこで、第１の実施形態において説明した構成と同様の機能を有する点については、図１と同一の符号を付し、説明を省略する。
【０１０７】
算出機能１０９ａは、上述した再構成時間の算出に加え、画像データを外部の装置に通信するのに要する通信時間の算出を行う。ここで、通信時間とは、例えば、Ｘ線ＣＴ装置１から送信された画像データが、外部の装置（画像データを管理するサーバ等）に格納されるまでの時間である。なお、通信時間には、画像データの送信に要する時間に加えて、サーバの空き情報の確認のための通信や、画像データの格納が完了した旨を伝えるための通信など、Ｘ線ＣＴ装置１と外部の装置との間で行われる種々の通信に係る時間を含むこととしてもよい。また、Ｘ線ＣＴ装置１は、外部の装置と双方向に通信できるものであってもよいし、外部の装置に対し一方向にのみ通信できるものであってもよい。
【０１０８】
算出機能１０９ａは、撮影条件及び再構成条件を含む通信時間算出条件に基づいて、外部の装置への画像データの通信時間を算出する。ここで、撮影条件及び再構成条件の他の通信時間算出条件としては、例えば、転送レート（Ｍｂｐｓ）や画像種（ＳｔａｎｄａｒｄＣＴ、ＥｎｈａｎｃｅｄＣＴ等）、時間帯、ネットワークセグメント、装置タイプ（ＰＡＣＳ（Picture  Archiving  and  Communication  System）、ＷｏｒｋＳｔａｔｉｏｎ、Ｘ線ＣＴ装置等）がある。
【０１０９】
例えば、算出機能１０９ａは、まず、スキャンモードやスキャン速度、ＦＯＶ、撮影スライス厚、撮影範囲、ピッチ、造影剤の有無等の撮影条件、及び、画像スライス厚や再構成間隔、緊急の再構成であるか否か、拡大再構成におけるバリエリア、再構成中心、再構成の開始位置及び終了位置、マトリクスサイズ、補間方法、再構成のパラメータセット等の再構成条件に基づいて、外部の装置に通信する画像データのデータサイズや枚数を算出する。
【０１１０】
次に、算出機能１０９ａは、画像データを通信する際の転送レートに応じて、通信時間を算出する。ここで、算出機能１０９ａは、転送レートを、画像種や時間帯、ネットワークセグメント、装置タイプといった転送時間算出条件に基づいて算出する。例えば、算出機能１０９ａは、過去の時間帯毎の転送レートと、画像データの通信を実行する時間帯とに基づいて、転送レートを算出する。一例を挙げると、まず、過去に実行された画像データの通信の結果に基づいて、「月曜日の９：００〜１０：００」の転送レートは「２０Ｍｂｐｓ」であり、「月曜日の１０：００〜１１：００」の転送レートは「８Ｍｂｐｓ」であり、「火曜日の９：００〜１０：００」の転送レートは「１２Ｍｂｐｓ」である、といったデータが記憶回路１０８に格納される。ここで、画像データの通信を実行する時間帯が「月曜日の９：００〜１０：００」である場合、算出機能１０９ａは、記憶回路１０８に格納された過去の時間帯毎の転送レートに基づいて、転送レートは「２０Ｍｂｐｓ」であると導出する。ここで、算出機能１０９ａは、導出した転送レート「２０Ｍｂｐｓ」を、画像種やネットワークセグメント、装置タイプに応じて補正してもよい。そして、算出機能１０９ａは、画像データのデータサイズ（画像データが複数であれば、複数の画像データのデータサイズの合計）を転送レートで除すことにより、通信時間を算出する。
【０１１１】
上述したように、算出機能１０９ａは、再構成時間及び通信時間を算出する。即ち、算出機能１０９ａは、画像データを生成し、生成した画像データを外部装置に通信するワークフローが完了するために要する時間を算出する。次に、表示制御機能１０９ｂは、算出機能１０９ａが算出した通信時間に関する情報を、撮影条件及び再構成条件に対応付けて、ディスプレイ１０６に表示させる。以下、通信時間の表示について、図１８を用いて説明する。図１８は、第４の実施形態に係る通信時間の表示例を示す図である。なお、以下では、再構成時間及び通信時間の和を合計時間とも記載する。合計時間は、再構成時間に関する情報の一例であり、また、通信時間に関する情報の一例である。
【０１１２】
図１８に示すように、表示制御機能１０９ｂは、ディスプレイ１０６にスキャン画面Ｒ１を表示させ、スキャン画面Ｒ１上に、領域Ｒ３や領域Ｒ６を表示させる。ここで、表示制御機能１０９ｂは、領域Ｒ６にて、算出機能１０９ａが算出した合計時間「３５ｍｉｎ」を表示させる。なお、表示制御機能１０９ｂは、図１８に示すように、領域Ｒ６において、撮影時間「１ｍｉｎ」を更に表示させる場合であってもよい。
【０１１３】
また、表示制御機能１０９ｂは、図１８に示すように、ディスプレイ１０６に領域Ｒ７を表示させる。図１８において、表示制御機能１０９ｂは、領域Ｒ７に、算出機能１０９ａが条件の組み合わせごとに複数算出した合計時間Ｓ７１〜合計時間Ｓ７５及び合計時間Ｓ８１〜合計時間Ｓ８５を、条件の組み合わせに対応付けてそれぞれ表示させる。
【０１１４】
図１８においては、再構成処理Ａ７に係る合計時間として、斜線で示す合計時間Ｓ７１の「２０ｍｉｎ」が選択されている。また、再構成処理Ａ８に係る合計時間として、斜線で示す合計時間Ｓ８１の「１５ｍｉｎ」が選択されている。図１８は、現在選択されている撮影条件及び再構成条件において、再構成処理Ａ７によって画像データを再構成し、再構成した画像データを外部の装置に送信するのに「２０ｍｉｎ」を要すること、及び、再構成処理Ａ８によって画像データを再構成し、再構成した画像データを外部の装置に送信するのに「１５ｍｉｎ」を要することを表す。また、図１８は、現在選択されている撮影条件及び再構成条件において、画像データの転送が完了するまで「３５ｍｉｎ」を要することを表す。
【０１１５】
ここで、表示制御機能１０９ｂは、図１８に示すように、合計時間の内訳を表示させる。例えば、表示制御機能１０９ｂは、合計時間Ｓ７１「２０ｍｉｎ」が再構成時間「１０ｍｉｎ」及び通信時間「１０ｍｉｎ」の和であり、合計時間Ｓ８１「１５ｍｉｎ」が再構成時間「１０ｍｉｎ」及び通信時間「５ｍｉｎ」の和であることを表示させる。即ち、表示制御機能１０９ｂは、算出機能１０９ａが算出した再構成時間を撮影条件及び再構成条件の組み合わせに対応付けて表示させるとともに、算出機能１０９ａが算出した通信時間を、撮影条件及び再構成条件の組み合わせに対応付けて表示させる。
【０１１６】
そして、受付機能１０９ｃは、合計時間を決定する決定操作を受け付ける。即ち、受付機能１０９ｃは、図１８に示す撮影条件及び再構成条件（被曝低減モードのＯＮ／ＯＦＦ、フィルタの種類、スライス厚、マトリクス等）や、再構成時間、通信時間、合計時間を参照した操作者から、合計時間Ｓ７１〜合計時間Ｓ７５のうちいずれかを選択し、合計時間Ｓ８１〜合計時間Ｓ８５のうちいずれかを選択する操作を、決定操作として受け付ける。
【０１１７】
なお、図１８においては、領域Ｒ７にて再構成時間、通信時間及び合計時間を表示する場合について説明したが、表示する項目は任意である。例えば、表示制御機能１０９ｂは操作者から受け付けた操作等に基づいて、再構成時間のみの表示、通信時間のみの表示、合計時間のみの表示、再構成時間及び通信時間の表示、通信時間及び合計時間の表示、再構成時間及び合計時間の表示、再構成時間、通信時間及び合計時間の表示等、モードを切り替えて表示する。
【０１１８】
上述したように、第４の実施形態によれば、算出機能１０９ａは、撮影条件及び再構成条件の組み合わせに基づいて、外部の装置への画像データの通信時間を算出する。また、表示制御機能１０９ｂは、算出機能１０９ａが算出した通信時間に関する情報を、撮影条件及び再構成条件の組み合わせに対応付けて表示させる。従って、第４の実施形態に係るＸ線ＣＴ装置１は、画像データの生成から画像データの通信が完了するまでのワークフローが完了するのに要する時間を操作者に提示し、適切な撮影条件及び再構成条件の選択を可能とすることで、検査の効率を向上させることができる。
【０１１９】
なお、第１〜第４の実施形態に係る算出機能１０９ａは、再構成時間の調整のために表示される再構成時間を、再構成時間の調整の指示を受けて算出する場合であってもよいし、再構成時間の調整の指示によらずに算出する場合であってもよい。また、算出機能１０９ａは、ディスプレイ１０６に表示される再構成時間のみを算出する場合に限らず、ディスプレイ１０６に表示されない再構成時間を含めた複数の再構成時間を算出する場合であってもよい。言い換えると、算出機能１０９ａは予め複数の再構成時間を算出し、表示制御機能１０９ｂは複数算出された再構成時間の中の一部を適宜表示させる場合であってもよい。
【０１２０】
第１〜第４の実施形態に係る各装置の各構成要素は機能概念的なものであり、必ずしも物理的に図示の如く構成されていることを要しない。即ち、各装置の分散・統合の具体的形態は図示のものに限られず、その全部又は一部を、各種の負荷や使用状況などに応じて、任意の単位で機能的又は物理的に分散・統合して構成することができる。更に、各装置にて行われる各処理機能は、その全部又は任意の一部が、ＣＰＵ及び当該ＣＰＵにて解析実行されるプログラムにて実現され、あるいは、ワイヤードロジックによるハードウェアとして実現されうる。
【０１２１】
また、第１〜第４の実施形態で説明した制御方法は、予め用意された制御プログラムをパーソナルコンピュータやワークステーション等のコンピュータで実行することによって実現することができる。この制御プログラムは、インターネット等のネットワークを介して配布することができる。また、この制御プログラムは、ハードディスク、フレキシブルディスク（ＦＤ）、ＣＤ−ＲＯＭ、ＭＯ、ＤＶＤ等のコンピュータで読み取り可能な記録媒体に記録され、コンピュータによって記録媒体から読み出されることによって実行することもできる。
【０１２２】
以上説明した少なくとも一つの実施形態によれば、検査の効率を向上させることができる。
【０１２３】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【０１２４】
１  Ｘ線ＣＴ装置
１０９ａ  算出機能
１０９ｂ  表示制御機能
１０９ｃ  受付機能
１０９ｄ  制御機能
１０９ｅ  再構成機能
【図１】
0006768473.tif 000002
【図２】
0006768473.tif 000003
【図３Ａ】
0006768473.tif 000004
【図３Ｂ】
0006768473.tif 000005
【図４】
0006768473.tif 000006
【図５】
0006768473.tif 000007
【図６Ａ】
0006768473.tif 000008
【図６Ｂ】
0006768473.tif 000009
【図６Ｃ】
0006768473.tif 000010
【図７】
0006768473.tif 000011
【図８】
0006768473.tif 000012
【図９】
0006768473.tif 000013
【図１０Ａ】
0006768473.tif 000014
【図１０Ｂ】
0006768473.tif 000015
【図１１】
0006768473.tif 000016
【図１２】
0006768473.tif 000017
【図１３】
0006768473.tif 000018
【図１４】
0006768473.tif 000019
【図１５Ａ】
0006768473.tif 000020
【図１５Ｂ】
0006768473.tif 000021
【図１５Ｃ】
0006768473.tif 000022
【図１６】
0006768473.tif 000023
【図１７】
0006768473.tif 000024
【図１８】
0006768473.tif 000025